(57)【要約】【課題】絶縁座に対し固定極側をその面方向に沿った平行な位置関係のもとで常に支持させるようにしたコンデンサマイクロホンユニットの提供。【解決手段】振動板２２と対面する固定極３２と、該固定極３２と対面してこれを支持する絶縁座４２とをユニットケース１２内に収容したコンデンサマイクロホンユニット１１において、絶縁座４２は、水平本体部４３と、該水平本体部４３の周縁側から固定極３２方向に突出する周壁部４４と、固定極３２を水平に下支え段部４５とを備え、該段部４５と周壁部４４との境界領域の周方向に、固定極３２を下支えした際にバリ３７や削りかすを収容する溝部４６を形成し、固定極３２を水平支持することにより、振動板２２との間で好適なコンデンサ要素を形成して感度やＳＮ比の良好なコンデンサマイクロホンユニット１１を形成できる。【選択図】図１
2009077008.tif 000002
【特許請求の範囲】
【請求項１】
その上側面がスペーサーを介して振動板側と対面配置される固定極と、該固定極の背側面側と対面してこれを支持する絶縁座とを、有底円筒状を呈するユニットケース内に少なくとも収容してなるコンデンサマイクロホンユニットにおいて、
前記絶縁座は、前記固定極の主要面と対面する水平本体部と、該水平本体部の周縁側から前記固定極側に向かって突出する周壁部と、前記固定極を水平に載置するために前記周壁部と前記水平本体部との間に形成された段部とを備え、
該段部と前記周壁部との境界に位置する周方向には、前記固定極を前記段部に載置した際にその周縁下向きに備えるバリを受け入れるための溝部を形成したことを特徴とするコンデンサマイクロホンユニット。
【発明の詳細な説明】
【技術分野】
【０００１】
本発明は、絶縁座に対し固定極側をその面方向に沿った平行な位置関係のもとで支持させるようにしたコンデンサマイクロホンユニットに関する技術である。
【背景技術】
【０００２】
コンデンサマイクロホンユニットは、下記特許文献１に開示されているように、真鍮などの導電性金属により有底円筒状に形成されたユニットケース内に振動板と固定極とで構成されるコンデンサ要素を有しており、該コンデンサ要素の静電容量変化を固定極から引き出してインピーダンス変換器へと送出し、電気インピーダンスに変換することで音響変換を行っている。
【特許文献１】特開第２００４−３４３３６８号公報
【０００３】
この場合、固定極は、ユニットケース側と電気的に導通させないように、該ユニットケースと固定極との間にその周壁部を介在させながら該絶縁座に支持させることでユニットケース内に配置されることになる。
【０００４】
図３は、上記特許文献１を含む従来からあるコンデンサマイクロホンユニットの全体構造例を示す説明図である。また、図４は、図３における固定極と絶縁座との配置関係をより明確に示す説明図である。
【０００５】
これらの図によれば、コンデンサマイクロホンユニット１は、前面側に音孔２ａを有し、後面側に開口面２ｂを有する有底円筒状のユニットケース２と、支持リング３に張設されてユニットケース２内の音孔２ａ側に配置される振動板４と、スペーサー５を介在させた上でその前側面６ａを振動板４に直面させた固定極６と、該固定極６の背側面６ｂの周縁側を下支えしつつ、ユニットケース２側とはその周壁部７ｂを介在させた絶縁状態のもとで固定極６を支持する絶縁座７とを少なくとも備えている。
【０００６】
この場合、ユニットケース２における開口面２ｂ近傍の内周面には、雌ネジ２ｃが刻設されており、該雌ネジ２ｃと螺合するロックリング８を介して絶縁座７を進退させることができるようになっている。このため、絶縁座７を含む内蔵部材は、ロックリング８の螺合状態の程度に応じて生成される圧力を受けてユニットケース２内に保持されることになる。また、ユニットケース２の音孔２ａの内側には、ユニットケース２内にゴミなどが侵入するのを阻止するフロントメッシュ２ｄが配設されている。
【０００７】
ここで、図４を参照して固定極６絶縁座７との配置関係をより詳しく説明すれば、絶縁座７は、固定極６からの信号を引き出す電極ロッド９が貫通配置される水平本体部７ａと、該水平本体部７ａの周縁側から固定極６側に向けて突出させた周壁部７ｂとを備え、該周壁部７ｂの内側に固定極６が載置される段部７ｃが形成されている。
【０００８】
このため、固定極６は、周壁部７ｂ内に嵌り込むようにして段部７ｃに下支えされた状態のもとで絶縁座７側に保持されることになる。
【０００９】
したがって、コンデンサマイクロホンユニット１は、スぺーサー５を介して確保される所定の間隔をおいて振動板４と固定極６とが平行配置された良好なコンデンサ要素を備えることとなり、所定の感度やＳＮ比などの性能を確保できることになる。
【発明の開示】
【発明が解決しようとする課題】
【００１０】
ところで、固定極６は、これを絶縁座７に一体的に組みつける際、その周縁側が周壁部７ｂと段部７ｃで確保される空間内に嵌合配置されることとなる。
【００１１】
この場合、固定極６は、プレス加工時にその周縁側に生成されるバリ６ｃを備えているので、該バリ６ｃにより振動板４が損傷を受けるのを回避させるため、バリ６ｃを反対側である絶縁座７側に向けて配置されることになる。
【００１２】
このため、固定極６が絶縁座７の周壁部７ｂと嵌合するようにして組み合わせる際には、バリ６ｃが邪魔をして固定極６を水平に配置できなかったり、バリ６ｃが周壁部７ｂの内側を削って段部７ｃ側に削りかすなどどなって堆積させたりして、図４に示すように絶縁座７側との間で水平な位置関係を確保できなくなる不都合があった。
【００１３】
このように非水平状態の傾いた状態のもとで絶縁座７に支持される固定極５は、振動板３に対しても平行な位置関係を確保できなくなることになる。したがって、固定極５は、振動板３側とは非平行となって対面するコンデンサ要素を形成してしまう結果、感度やＳＮ比が劣化してしまうという不具合があった。
【００１４】
さらに、このようにして形成されたマイクロホンユニット１は、傾いた固定極５とスペーサー４との間に空気の漏洩路を生じさせてしまい、単一指向性に調整された場合の指向周波数特性を劣化してしまうという問題もあった。
【００１５】
本発明は、従来技術の上記課題に鑑み、絶縁座に対し固定極側をその面方向に沿った平行な位置関係のもとで常に支持させるようにしたコンデンサマイクロホンユニットを提供することに目的がある。
【課題を解決するための手段】
【００１６】
本発明は、上記目的を達成すべくなされたものであり、その上側面がスペーサーを介して振動板側と対面配置される固定極と、該固定極の背側面側と対面してこれを支持する絶縁座とを、有底円筒状を呈するユニットケース内に少なくとも収容してなるコンデンサマイクロホンユニットにおいて、前記絶縁座は、前記固定極の主要面と対面する水平本体部と、該水平本体部の周縁側から前記固定極側に向かって突出する周壁部と、前記固定極を水平に載置するために前記周壁部と前記水平本体部との間に形成された段部とを備え、該段部と前記周壁部との境界に位置する周方向には、前記固定極を前記段部に載置した際にその周縁下向きに備えるバリを受け入れるための溝部を形成したことを最も主要な特徴としている。
【発明の効果】
【００１７】
本発明によれば、絶縁座は、周壁部と水平本体部との間に段部を備え、該段部と周壁部との境界領域に固定極がその周縁下向きに有するバリを受け入れるための溝部が形成されているので、固定極を絶縁座側に嵌合配置する際にバリのほか、該バリにより削り取られた削りかすをも溝部内に取り込むことができる。
【００１８】
したがって、本発明によれば、固定極のバリや、該バリにより削り取られた削りかすは、確実に溝部内に導入した上で、周壁部と段部とにより確保される空間内に固定極を水平に配置することができるので、振動板との間で良好なコンデンサ要素を形成して感度やＳＮ比の良好なコンデンサマイクロホンユニットを提供することができる。
【００１９】
また、本発明によれば、絶縁座と平行に配置される固定極は、振動板側ともスペーサーを介して水平に配置することができるので、スペーサーとの間に空気の漏洩路を生じさせることなく密に接触させて指向周波数特性の優れた単一指向性のコンデンサマイクロホンユニットを提供することもできる。
【発明を実施するための最良の形態】
【００２０】
図１は、本発明の全体構造の一例を示す説明図であり、図２は、図１における固定極と絶縁座との配置関係を詳しく示す説明図である。これらの図によれば、コンデンサマイクロホンユニット１１は、前面側に音孔１３を有し、後面側に開口面１４を有する有底円筒状のユニットケース１２と、支持リング２３に張設されてユニットケース１２内の音孔２ａ側に配置される振動板２２と、スペーサー３５を介在させた上でその前側面３３を振動板２２に直面させた固定極３２と、該固定極３２の背側面３４の周縁側を下支えしつつ、ユニットケース１２側とはその周壁部４４を介在させた絶縁状態のもとで固定極３２を支持する絶縁座４２とを少なくとも備えている。
【００２１】
このうち、ユニットケース１２は、例えば、真鍮やアルミニウムのような導電性金属材よりなり、その開口面１４近傍の内周面に雌ネジ１５が刻設されており、該雌ネジ１５を介してロックリング１８との螺合が自在となっている。
【００２２】
該ロックリング１８は、その螺合操作により位置調整しながら絶縁座４２側をも従動させつつ進退させることができる。このため、ユニットケース１２内に収容された絶縁座４２を含む内蔵部材は、ロックリング１８の螺合状態に応じて生成される圧力を受けてユニットケース１２内に保持されることになる。
【００２３】
また、ユニットケース１２の音孔１３は、ユニットケース１２前面の略中心部位の周りからユニットケース１２の周縁側へと放射状に延びる長寸スリット孔部１３ａと短寸スリット孔部１３ｂとを交互に配列させることで形成されている。
【００２４】
さらに、音孔１３が位置するユニットケース１２の内側には、外部からこれら長寸スリット孔部１３ａと短寸スリット孔部１３ｂとを介してユニットケース１２内へとゴミなどが侵入するのを阻止するために、適宜のメッシュ間隔のもとで形成されたフロントメッシュ１９が配設されている。
【００２５】
一方、略円形を呈する固定極３２は、導電性を有する適宜の金属板をプレス加工することで、図２に示すように周縁側にバリ３７を備えて形成されており、該バリ３７の突出方向を絶縁座４２側に向けた状態のもとで配置されることになる。
【００２６】
固定極５２よりも軟質なゴム材などの適宜の絶縁素材により形成される絶縁座４２は、固定極３２からの信号を引き出す電極ロッド４９が貫通配置される水平本体部４３と、該水平本体部４３の周縁側から固定極３２側に向けて突出させた周壁部４４とを備え、該周壁部４４の内側に固定極３２を下支えするための段部４５が形成されている。
【００２７】
このため、固定極３２は、周壁部４４内に嵌合した状態のもとで段部４５に下支えされて絶縁座４２側に保持されることになる。なお、電極ロッド４９は、図示しない接続線を介して固定極３２側と電気的に導通している。
【００２８】
この場合における固定極３２と絶縁座４２との配置関係を図２を参酌してより詳しく説明すれば、絶縁座４２は、固定極３２の背側面３４の主要面と対面する面サイズを有する水平本体部４３と、該水平本体部４３の周縁側から固定極３２側に突出してユニットケース１２と固定極３２との間に位置する周壁部４４と、固定極３２を水平に載置するために周壁部４４と水平本体部４３との間に形成された段部４５とを備えて形成されている。
【００２９】
しかも、段部４５と周壁部４４との境界に位置する周方向には、固定極３２がその周縁側に有するバリ３７を受け入れるための溝部４６が形成されている。
【００３０】
次に、図１および図２を参酌して本発明の作用・効果を説明する。コンデンサマイクロホンユニット１１の組み立ては、まず、音孔１３が位置する側のユニットケース２２内にフロントメッシュ２６を配置した上で、支持リング２３側が位置規制された状態のもとで振動板２２がユニットケース１２内に配置される。
【００３１】
固定極３２と絶縁座４２とは、図２に示すようにして組み合わせた後、振動板２２と固定極３２の前側面３３との間にスペーサー３５を介在させた状態のもとでユニットケース１２内に配置される。
【００３２】
この場合、固定極３２は、バリ３７の突出方向を絶縁座４２側に向け、該絶縁座４２における周壁部４４内にその周端面３６を嵌め込むようにして配置した上で、段部４５に下支えされる位置にまで押し込んで絶縁座４２側に嵌合配置する。
【００３３】
このとき、絶縁座４２の周壁部４４と段部４５との境界に位置する周方向には、固定極３２のバリ３７を受け入れるための溝部４６が形成されているので、該溝部４６内にバリ３７を収容させながら固定極３２を段部４５に水平状態のもとで下支えさせることができることになる。
【００３４】
しかも、絶縁座４２が備える溝部４６は、固定極３２を絶縁座４２側に嵌合配置する際にバリ３７が絶縁座４２の周壁部４４の内側を削って生成される削りかすをも取り込こむこともできるので、固定極３２を段部４５により確実に水平支持させることができる。
【００３５】
かくして、図２に示すようにして組み合わされた固定極３２と絶縁座４２とは、スペーサー３５を介してユニットケース１２内に収容される。このとき、固定極３２は、その周端面３６が絶縁座４２の周壁部４４を介してユニットケース１２と接触しないように配置されるので相互が電気的に絶縁されることになる。
【００３６】
ユニットケース１２内の固定極３２と絶縁座４２とを含む所定の内蔵部材は、このような配置状態のもとでユニットケース１２の雌ネジ１５と螺合させたロックリング１８を緊締方向へと回転させて生成される圧力を受けてユニットケース２２内に安定的に収容保持されるに至る。
【００３７】
つまり、振動板２２と固定極３２と絶縁座４２とは、相互に平行な位置関係を保持したままの状態でユニットケース２２内に安定的に収容保持されることとなる。
【００３８】
したがって、本発明によれば、固定極３２のバリ３７や、該バリ３７により削り取られた削りかすを確実に溝部４６内に導入した上で、周壁部４４と段部４５とにより確保される空間内に固定極３２を水平に配置することができるので、振動板２２との間で好適なコンデンサ要素を形成して感度やＳＮ比の良好なコンデンサマイクロホンユニット１１を提供することができることになる。
【００３９】
しかも、本発明によれば、絶縁座４２と平行に配置される固定極３２は、振動板２２側ともスペーサー３５を介して水平に配置することができるので、該スペーサー３５との間に空気の漏洩路を生じさせることなく密に接触させて指向周波数特性の優れた単一指向性のコンデンサマイクロホンユニット１１を提供することもできる。
【図面の簡単な説明】
【００４０】
【図１】本発明の全体構造の一例を示す説明図。
【図２】図１における固定極と絶縁座との配置関係を示す詳細説明図。
【図３】従来からあるコンデンサマイクロホンユニットの全体構造の一例を示す説明図。
【図４】図３における固定極と絶縁座との配置関係を示す詳細説明図。
【符号の説明】
【００４１】
１１  コンデンサマイクロホンユニット
１２  ユニットケース
１３  音孔
１３ａ  長寸スリット孔部
１３ｂ  短寸スリット孔部
１４  開口面
１５  雌ネジ
１８  ロックリング
１９  フロントメッシュ
２２  振動板
２３  支持リング
３２  固定極
３３  前側面
３４  背側面
３５  スペーサー
３６  周端面
３７  バリ
４２  絶縁座
４３  水平本体部
４４  周壁部
４５  段部
４６  溝部
４９  電極ロッド
【図１】
2009077008.tif 000003
【図２】
2009077008.tif 000004
【図３】
2009077008.tif 000005
【図４】
2009077008.tif 000006